(57)【要約】      （修正有）【課題】動力も特別な作動液も使用せずに簡易な構造で地熱を利用する装置を提供する。【解決手段】地熱利用部１から地中に、二重になっており、途中で内側の管と外側の管２が交替し、下部において内側の管と外側の管２との開口部６がある管を埋める構成とした。これにより、外気温が下がってくると地表面に近い場所の地中温度も低下し、管壁を隔てて地中に接している低温経路部８の空気又は水の温度が下がり収縮して比重が大きくなる。低温経路部８の空気又は水が収縮した分だけ低温経路部入口１２から低温経路部８に空気又は水が入り込む。このため、下部開口部６において低温経路部８の気圧又は水圧が高温経路部９より高くなるため空気又は水が低温経路部８から高温経路部９に入る。それに伴い、上部開口部７において高温経路部９から地熱利用部１へ空気又は水が排出され、装置内の空気又は水が効率よく循環し地熱を汲み上げることができる。【選択図】図２
2011141107.tif 000002
【特許請求の範囲】
【請求項１】
地熱利用部から地中に管を埋め、その中央にもう１本の管を設置し、内側の管の下部に開口部を設けた地熱利用装置。
【請求項２】
地熱利用部から地中に、二重になっており、途中で内側と外側が交替し、下部において内側の管と外側の管との開口部がある管を埋める地熱利用装置。
【請求項３】
地熱利用部から地中に管を埋め、その中に発泡スチロール等の断熱性の高い材料で作った仕切り部材を連結して請求項２に記載の構造を作る地熱利用装置。
【請求項４】
請求項１から３までに記載した管構造を地表付近で水平に折り曲げて、融雪対象場所の地中に設置する地熱利用の融雪装置。
【発明の詳細な説明】
【技術分野】
【０００１】  この発明は、地熱利用装置に関する。
【背景技術】
【０００２】  従来、地熱利用装置には熱媒体をポンプで循環させるものやヒートパイプがある。
【発明の概要】
【発明が解決しようとする課題】
【０００３】  熱媒体をポンプで循環させて地熱を利用する装置は、ポンプを動かすために電力が必要である。【０００４】  ヒートパイプにおいては、ポンプは使用しないので電力は不要であるが、特別な作動液を使用するため、作動液の漏出による環境への影響や撤去時の処理のコストの問題がある。【０００５】  本発明は、動力も特別な作動液も使用せずに簡易な構造で地熱を利用する装置を実現することを目的としている。
【課題を解決するための手段】
【０００６】  本発明（請求項１）の地熱利用装置は、地熱利用部から地中に管を埋め、その中央にもう１本の管を設置し、内側の管の下部に開口部を設ける構成とした。【０００７】  本発明（請求項２）の地熱利用装置は、地熱利用部から地中に、二重になっており、途中で内側と外側が交替し、下部において内側の管と外側の管との開口部がある管を埋める構成とした。【０００８】  本発明（請求項３）の地熱利用装置は、地熱利用部から地中に管を埋め、その中に発泡スチロール等の断熱性の高い材料で作った仕切り部材を連結して請求項２に記載の構造を作る構成とした。【０００９】  本発明（請求項４）の地熱利用の融雪装置は、請求項１から３までに記載した管構造を地表付近で水平に折り曲げて、融雪対象場所の地中に設置する構成とした。
【発明の効果】
【００１０】  地中温度は、地下の浅い部分においてはほぼ外気温に等しく、地下５メートル以深においては１年を通してほぼ一定であり、その地域の年平均気温にほぼ等しくなっている。したがって、冬季においては、地下５メートル以深の地中温度が地表付近より高くなっており、その間で空気又は水を効果的に循環させれば地熱を利用することができる。【００１１】  管を二重構造にして、低温の空気又は水が下降する経路と暖められた空気又は水が上昇する経路を分離することにより効果的に空気又は水が循環する。【００１２】  管の二重構造の外側と内側を途中で交替させることにより、さらに効率よく循環する。【００１３】  単位時間当たりの熱伝導効率はヒートパイプより劣ると考えられるが、地中の熱伝導率が低い場合、単位時間当たりの利用可能熱量は限られており、両者に大きな差は生じないと考えられる。【００１４】  本発明は空気又は水の比重差による循環により地熱を利用するもので、動力を必要とせず、また、特別な作動液も使用しないので環境面で有利である。
【図面の簡単な説明】
【００１５】
【図１】  本発明（請求項１）の地熱利用装置の実施例を示す側面断面図
【図２】  本発明（請求項２）の地熱利用装置の実施例を示す側面断面図
【図３】  本発明（請求項２）の地熱利用装置の管の平面断面図
【図４】  本発明（請求項２）の地熱利用装置の管の平面断面図
【図５】  本発明（請求項２）の地熱利用装置の管の平面断面図
【図６】  本発明（請求項２）の地熱利用装置の管の平面断面図
【図７】  本発明（請求項２）の地熱利用装置の管の平面断面図
【図８】  本発明（請求項２）の地熱利用装置の管の平面断面図
【図９】  本発明（請求項２）の地熱利用装置の管の平面断面図
【図１０】  本発明（請求項３）の地熱利用装置の管の仕切り部材の平面断面図
【図１１】  本発明（請求項３）の地熱利用装置の管の仕切り部材の側面断面図
【図１２】  本発明（請求項４）の地熱利用の融雪装置の実施例を示す側面断面図
【発明を実施するための形態】
【００１６】  以下、本発明の地熱利用装置及び地熱利用の融雪装置の実施の形態を実施例により説明する。
【実施例１】
【００１７】  図１は、本発明（請求項１）の地熱利用装置の実施例を示す側面断面図である。【００１８】  外気温が下がってくると地表面に近い場所の地中温度も低下し、管壁を隔てて地中に接している外側経路部４の空気又は水の温度が下がり収縮して比重が大きくなる。外側経路部の空気又は水が収縮した分だけ外側経路部入口１１から外側経路部４に空気又は水が入り込む。このため、下部開口部６において外側経路部４の気圧又は水圧が内側経路部６より高くなるため空気又は水が外側経路部４から内側経路部５に入る。それに伴い、上部開口部７において内側経路部５から地熱利用部１へ空気又は水が排出される。地表面に近いところの地中温度がこの装置の下部の地中温度より低い間、以上の過程が繰り返され地熱利用部１に熱が供給される。
【実施例２】
【００１９】  図２は、本発明（請求項２）の地熱利用装置の実施例を示す側面断面図である。【００２０】  外気温が下がってくると地表面に近い場所の地中温度も低下し、管壁を隔てて地中に接している低温経路部８の空気又は水の温度が下がり収縮して比重が大きくなる。低温経路部８の空気又は水が収縮した分だけ低温経路部入口１２から低温経路部８に空気又は水が入り込む。このため、下部開口部６において低温経路部８の気圧又は水圧が高温経路部９より高くなるため空気又は水が低温経路部８から高温経路部９に入る。それに伴い、上部開口部７において高温経路部９から地熱利用部１へ空気又は水が排出される。地表面に近いところの地中温度がこの装置の下部の地中温度より低い間、以上の過程が繰り返され地熱利用部１に熱が供給される。【００２１】  低温経路部８は、地表面に近いところでは外側にあり、途中で内側に交替するので、下部開口部６に達するまでに温められにくくなっており、下部開口部６での気圧又は水圧の差は請求項１の場合よりも大きくなり、効率よく空気又は水が循環する。【００２２】  低温経路部８と高温経路部９が交替する部分の断面は、図３から図９へと順次推移し、この間に内外が交替する。
【実施例３】
【００２３】  図１０及び図１１は、本発明（請求項３）の地熱利用装置の管の仕切り部材の１例の平面断面図及び側面断面図である。内外交替部用の仕切り部材も連結して、図２と同様な構造を形成する。【００２４】  仕切り部材の連結部にロック機構を組み込むと、施工時の作業効率が向上する。
【実施例４】
【００２５】  図１２は、本発明（請求項４）の地熱利用の融雪装置の実施例を示す側面断面図である。【００２６】  地熱利用の仕組みは、実施例２と同じである。
【符号の説明】
【００２７】１    地熱利用部
２    外管
３    内管
４    外側経路部
５    内側経路部
６    下部開口部
７    上部開口部
８    低温経路部
９    高温経路部
１０  仕切り部材
１１  外側経路部入口
１２  低温経路部入口
【図１】
2011141107.tif 000003
【図２】
2011141107.tif 000004
【図３】
2011141107.tif 000005
【図４】
2011141107.tif 000006
【図５】
2011141107.tif 000007
【図６】
2011141107.tif 000008
【図７】
2011141107.tif 000009
【図８】
2011141107.tif 000010
【図９】
2011141107.tif 000011
【図１０】
2011141107.tif 000012
【図１１】
2011141107.tif 000013
【図１２】
2011141107.tif 000014